(57)【要約】      （修正有）【課題】カウンターの反りを矯正することができる反り矯正具およびこのような反り矯正具を備えているカウンターを提供する。【解決手段】左右にのびる長ネジ１２と、カウンター３の後縁部３ａの左右端部に固定されて長ネジ１２の左右端部をそれぞれ挿通させる左右１対の支持金具１３と、長ネジ１２の各端部にそれぞれ１対ずつ配置されて支持金具１３を挟持する内外１対のナット１５，１６とを備えている。カウンター後縁部３ａに生じた凹の反りを外ナット１６を締め付けることで矯正し、またカウンター後縁部３ａに生じた凸の反りを内ナット１５を締め付けることで矯正する。【選択図】図６
0003150360.tif 000002
【実用新案登録請求の範囲】
【請求項１】
方形状のカウンターに取り付けられてそのキャビネットから張り出している左右に長い後縁部の反りを矯正するカウンターの反り矯正具であって、左右にのびる長ネジと、カウンターの後縁部の左右端部に固定されて長ネジの左右端部をそれぞれ挿通させる左右１対の支持金具と、長ネジの各端部にそれぞれ１対ずつ配置されて支持金具を挟持する内外１対のナットとを備えており、カウンター後縁部に生じた凹の反りを外ナットを締め付けることで矯正し、カウンター後縁部に生じた凸の反りを内ナットを締め付けることで矯正することを特徴とするカウンターの反り矯正具。
【請求項２】
支持金具は、少なくとも１つの垂直壁と、垂直壁の上面に配置された少なくとも１つの水平壁とを有しており、水平壁に、カウンターへの取付け用ねじを挿通するための複数の貫通孔が設けられるとともに、垂直壁に、長ネジを挿通するための貫通孔が設けられている請求項１のカウンターの反り矯正具。
【請求項３】
支持金具は、左右に長い方形の底壁と、底壁の左右端部から立ち上がる左右側壁と、底壁の前後縁部から立ち上がる前後側壁と、前後側壁の上面に連なって前後方向の外方にのびる前後頂壁とからなり、前後頂壁に、カウンターへの取付け用ねじを挿通するための複数の小径の貫通孔が設けられるとともに、左右側壁に、長ネジを挿通するための大径の貫通孔が設けられている請求項１のカウンターの反り矯正具。
【請求項４】
支持金具は、前後に長い方形の底壁と、底壁の左右縁部から立ち上がる左右側壁と、左右側壁の上面に連なって左右方向の外方にのびる左右頂壁とからなり、左右頂壁に、カウンターへの取付け用ねじを挿通するための小径の貫通孔が設けられるとともに、左右側壁に、長ネジを挿通するための大径の貫通孔が設けられている請求項１のカウンターの反り矯正具。
【請求項５】
支持金具は、１つの垂直壁と、垂直壁の上面に連なる水平壁とからなり、水平壁に、カウンターへの取付け用ねじを挿通するための複数の貫通孔が設けられるとともに、垂直壁に、長ネジを挿通するための下向きに開口した溝が設けられている請求項１のカウンターの反り矯正具。
【請求項６】
表面の人造大理石層と、２層の合板製またはパーティクルボード製の木部層とを備えており、システムキッチンのキャビネット上に後縁部をキャビネットから張り出して固定されたカウンターにおいて、請求項１から５までのいずれかに記載のカウンターの反り矯正具をさらに備えており、裏面側の木部層の後縁部の上面に左端近傍から右端近傍までのびる反り矯正具配置用溝が形成されて、反り矯正具配置用溝内に長ネジが配置されるとともに、反り矯正具配置用溝の左右端部近くに支持金具が配置されて表面側の木部層に複数のカウンターへの取付け用ねじによって取り付けられており、裏面側の木部層の後縁部の左端近傍および右端近傍に、カウンターの反り矯正具の各ナットの回転を可能とするための工具差込口が下方に開口して設けられて、該開口が着脱可能な蓋によって閉じられていることを特徴とするカウンター。
【考案の詳細な説明】
【技術分野】
【０００１】
本考案は、システムキッチンなどで使用されるカウンターの反りを矯正するための矯正具およびこのような反り矯正具を備えているカウンターに関する。
【背景技術】
【０００２】
システムキッチンなどで使用されるカウンターとして、表面の人造大理石層と、その裏面に配置された合板製またはパーティクルボード製の木部層とからなり、システムキッチンのキャビネット上に後縁部をキャビネットから張り出させて固定されているものは、よく知られている（例えば特許文献１）。なお、特許文献１は、カウンターのキャビネットへの取付構造に関するものとなっている。
【先行技術文献】
【特許文献】
【０００３】
【特許文献１】特開平１１−３２８５１号公報
【考案の概要】
【考案が解決しようとする課題】
【０００４】
本考案が対象とするカウンターは、アイランドカウンターと称されているもので、カウンターの一部（本考案において「後縁部」と称す）がキャビネットよりもリビング側に張り出した状態で使用される。そのため、この張り出した部分の反りが問題視されることがある。このような反りが発生した場合には、カウンターを交換するようになっており、カウンターの反りを矯正するための矯正具は、上記特許文献１にも記載されていないし、従来、知られていない。
【０００５】
この考案の目的は、カウンターの反りを矯正することができる反り矯正具およびこのような反り矯正具を備えているカウンターを提供することにある。
【課題を解決するための手段】
【０００６】
この考案によるカウンターの反り矯正具は、方形状のカウンターに取り付けられてそのキャビネットから張り出している左右に長い後縁部の反りを矯正するカウンターの反り矯正具であって、左右にのびる長ネジと、カウンターの後縁部の左右端部に固定されて長ネジの左右端部をそれぞれ挿通させる左右１対の支持金具と、長ネジの各端部にそれぞれ１対ずつ配置されて支持金具を挟持する内外１対のナットとを備えており、カウンター後縁部に生じた凹の反りを外ナットを締め付けることで矯正し、カウンター後縁部に生じた凸の反りを内ナットを締め付けることで矯正することを特徴とするものである。
【０００７】
この考案において、前後左右は、キッチンにおいて調理を行う人を基準にしていうものとし、前後については、調理を行う人に近い側を前、遠い側を後というものとする。また、凹の反りは、左右の中間部が左右端部に対して下方にある状態をいい、凸の反りは、左右の中間部が左右端部に対して上方にある状態をいう。
【０００８】
この考案において、支持金具は、少なくとも１つの垂直壁と、垂直壁の上面に配置された少なくとも１つの水平壁とを有しており、水平壁に、カウンターへの取付け用ねじを挿通するための複数の貫通孔が設けられるとともに、垂直壁に、長ネジを挿通するための貫通孔が設けられていることが好ましい。
【０００９】
例えば、支持金具は、左右に長い方形の底壁と、底壁の左右端部から立ち上がる左右側壁と、底壁の前後縁部から立ち上がる前後側壁と、前後側壁の上面に連なって前後方向の外方にのびる前後頂壁とからなり、前後頂壁に、カウンターへの取付け用ねじを挿通するための複数の小径の貫通孔が設けられるとともに、左右側壁に、長ネジを挿通するための大径の貫通孔が設けられていることがある。また、支持金具は、前後に長い方形の底壁と、底壁の左右縁部から立ち上がる左右側壁と、左右側壁の上面に連なって左右方向の外方にのびる左右頂壁とからなり、左右頂壁に、カウンターへの取付け用ねじを挿通するための小径の貫通孔が設けられるとともに、左右側壁に、長ネジを挿通するための大径の貫通孔が設けられていることがあり、さらにまた、支持金具は、１つの垂直壁と、垂直壁の上面に連なる水平壁とからなり、水平壁に、カウンターへの取付け用ねじを挿通するための複数の貫通孔が設けられるとともに、垂直壁に、長ネジを挿通するための下向きに開口した溝が設けられていることがある。
【００１０】
このカウンターの反り矯正具は、既存のカウンターに後から取り付けることも可能であるが、予めカウンターに取り付けておくことが好ましい。いずれにしろ、カウンターの反り矯正具は、外からは見えないように、カウンターに取り付けられる。
【００１１】
この考案によるカウンターは、表面の人造大理石層と、２層の合板製またはパーティクルボード製の木部層とを備えており、システムキッチンのキャビネット上に後縁部をキャビネットから張り出して固定されたカウンターにおいて、上記の反り矯正具を内蔵したものであって、裏面側の木部層の後縁部の上面に左端近傍から右端近傍までのびる反り矯正具配置用溝が形成されて、反り矯正具配置用溝内に長ネジが配置されるとともに、反り矯正具配置用溝の左右端部近くに支持金具が配置されて表面側の木部層に複数のカウンターへの取付け用ねじによって取り付けられており、裏面側の木部層の後縁部の左端近傍および右端近傍に、カウンターの反り矯正具の各ナットの回転を可能とするための工具差込口が下方に開口して設けられて、該開口が着脱可能な蓋によって閉じられていることを特徴とするものである。
【考案の効果】
【００１２】
この考案のカウンターの反り矯正具によると、カウンターに凸の反りが発生した場合には、内ナットを締め付けることで、これを矯正することができ、また、カウンターに凹の反りが発生した場合には、外ナットを締め付けることにより、これを矯正することができる。そして、このような反り矯正具を備えたカウンターによると、反りが発生した場合の矯正を容易に行うことができ、カウンターを交換する必要がない。
【図面の簡単な説明】
【００１３】
【図１】この考案によるカウンターの反り矯正具が使用されるシステムキッチンを示す斜視図である。
【図２】この考案によるカウンターの反り矯正具を示すためのシステムキッチンの底面図である。
【図３】この考案によるカウンターの反り矯正具を示すためのカウンターの後縁部の縦断面図である。
【図４】この考案によるカウンターの反り矯正具を示すためのカウンターの後縁部の横断面図である。
【図５】この考案によるカウンターの反り矯正具の分解斜視図である。
【図６】この考案によるカウンターの反り矯正具の原理を模式的に示す図である。
【図７】この考案によるカウンターの反り矯正具の他の実施形態を示す分解斜視図である。
【図８】この考案によるカウンターの反り矯正具のさらに他の実施形態を示す分解斜視図である。
【図９】この考案によるカウンターの反り矯正具のさらに他の実施形態を示す分解斜視図である。
【図１０】この考案によるカウンターの反り矯正具のさらに他の実施形態を示す斜視図である。
【図１１】この考案によるカウンターの反り矯正具のさらに他の実施形態を示す斜視図である。
【考案を実施するための形態】
【００１４】
この考案の実施の形態を、以下図面を参照して説明する。
【００１５】
図１は、この考案が対象とする１例であるシステムキッチンを示しており、システムキッチン(1)は、キャビネット(2)と、キャビネット(2)上に設けられたカウンター(3)と、カウンター(3)上に配置された加熱器具(4)およびシンク(5)とを備えている。
【００１６】
カウンター(3)は、図３および図４に示すように、表面の人造大理石層(6)と、上下２層の木部層(7)(8)とからなる。各木部層(7)(8)は、合板製またはパーティクルボード製とされている。
【００１７】
ここで、カウンター(3)の後縁部(3a)は、左右に長い方形状をなし、キャビネット(2)よりも後方（例えばリビング側）に張り出した状態で設置されるが、この部分(3a)は、図１に二点鎖線で示すように、凹に反ることがある。
【００１８】
この考案のカウンターの反り矯正具(11)は、上記の反りを矯正するためのもので、図２から図５までに示すように、左右にのびる長ネジ(12)と、カウンター(3)の後縁部(3a)の左右端部に固定されて長ネジ(12)の左右端部をそれぞれ挿通させる左右１対の支持金具(13)と、左右の支持金具(13)をカウンター(3)に取り付けるための複数の木ねじ(14)と、長ネジ(12)の各端部にそれぞれ１対ずつ配置されて支持金具(13)を挟持する内外１対のナット(15)(16)とからなる。
【００１９】
長ネジ(12)には、全長にわたっておねじが設けられており、直線移動も回転もしない状態で使用される。
【００２０】
裏面側（下層）の木部層(8)の後縁部近傍の上面には、左端近傍から右端近傍までのびる反り矯正具配置用溝(21)が形成されており、その溝(21)の左右端部近くに支持金具(13)が配置されて、木ねじ(14)によって表面側（上層）の木部層(7)に取り付けられている。裏面側の木部層(8)には、下方に開口しかつ反り矯正具配置用溝(21)に通じる工具差込口(22)が設けられている。この工具差込口(22)の大きさは、支持金具(13)と内外ナット(15)(16)とを合わせた左右方向の長さよりも大きくなされており、工具差込口(22)からスパナ等の工具を差し入れて、各ナット(15)(16)を回転させることができる。工具差込口(22)は、着脱可能な蓋(23)によって閉じられており、これにより、外からは見えないように、反り矯正具(11)がカウンター(3)に内蔵されている。
【００２１】
支持金具(13)は、図５に示すように、左右に長い方形の底壁(31)と、底壁(31)の左右端部から立ち上がる左右側壁(32)と、底壁(31)の前後縁部から立ち上がる前後側壁(33)と、前後側壁(33)の上面に連なって前後方向の外方にのびる前後頂壁(34)とからなる。前後頂壁(34)には、木ねじ(14)を挿通するための複数（図示は３つ）の小径の貫通孔(35)がそれぞれ設けられており、左右側壁(32)には、長ネジ(12)を挿通するための大径の貫通孔(36)がそれぞれ設けられている。
【００２２】
内ナット(15)と外ナット(16)とは、支持金具(13)を左右両側から挟持しており、図６に示すように、外ナット(16)を内側（右側の支持金具(13)の外ナット(16)を左側に、左側の支持金具(13)の外ナット(16)を右側に）移動させて支持金具(13)に対して締め付けることにより、カウンター(3)の後縁部(3a)は凸の反りになり（凹の反りが矯正され）、内ナット(15)を外側（右側の支持金具(13)の内ナット(15)を右側に、左側の支持金具(13)の内ナット(15)を左側に）に移動させて支持金具(13)に対して締め付けることにより、カウンター(3)の後縁部(3a)は凹の反りになる（凸の反りが矯正される）。
【００２３】
すなわち、図６（ａ）に模式的に示すように、カウンター(3)の後縁部(3a)に凸の反りが発生した場合には、内ナット(15)を締め付け、図６（ｂ）に示すように、カウンター(3)の後縁部(3a)に凹の反りが発生した場合には、外ナット(16)を締め付けることにより、反りを矯正することができる。
【００２４】
支持金具(13)の形状は、図５に示したものに限定されるものではなく、木ねじ(14)を挿通するための複数の貫通孔(35)が設けられた水平壁（図５では前後頂壁(34)）と、長ネジ(12)を挿通するための貫通孔(36)が設けられた垂直壁（図５では左右側壁(32)）とがそれぞれ少なくとも１つあるようにして、種々変更可能である。
【００２５】
例えば、図７に示すように、支持金具(13)は、前後に長い方形の底壁(41)と、底壁(41)の左右縁部から立ち上がる左右側壁(42)と、左右側壁(42)の上面に連なって左右方向の外方にのびる左右頂壁(43)とからなり、左右頂壁（水平壁）(43)に、木ねじ(14)を挿通するための複数（図示は３つ）の小径の貫通孔(45)がそれぞれ設けられるとともに、左右側壁（垂直壁）(42)に、長ネジ(12)を挿通するための大径の貫通孔(46)がそれぞれ設けられているようにしてもよい。
【００２６】
また、図８に示すように、支持金具(13)は、１つの垂直壁(51)と、垂直壁(51)の上面に連なって左右方向の内方にのびる水平壁(52)とからなり、水平壁(52)に、木ねじ(14)を挿通するための複数（図示は３つ）の小径の貫通孔(55)が設けられるとともに、垂直壁(51)に、長ネジ(12)を挿通するための大径の貫通孔(56)が設けられているようにしてもよい。
【００２７】
さらにまた、図９に示すように、支持金具(13)は、１つの垂直壁(61)と、垂直壁(61)の上面に連なって左右方向の内外両方にのびる水平壁(62)とからなり、水平壁(62)の左右両部に、木ねじ(14)を挿通するための複数（図示は３つ）の小径の貫通孔(65)がそれぞれ設けられるとともに、垂直壁(61)に、長ネジ(12)を挿通するための大径の貫通孔(66)が設けられているようにしてもよい。
【００２８】
また、図８および図９のように、１つの垂直壁(51)(61)とされた支持金具(13)を使用する場合、図１０に示すように、支持金具(13)は、１つの垂直壁(51)と、垂直壁(51)の上面に連なって左右方向の内方にのびる水平壁(52)とからなり、水平壁(52)に、木ねじ(14)を挿通するための複数（図示は３つ）の貫通孔(55)が設けられるとともに、垂直壁(51)に、長ネジ(12)を挿通するための下向きに開口した溝（Ｕ溝）(57)が設けられているようにしてもよい。
【００２９】
さらにまた、図１１に示すように、支持金具(13)は、１つの垂直壁(61)と、垂直壁(61)の上面に連なって左右方向の内外両方にのびる水平壁(62)とからなり、水平壁(62)の左右両部に、木ねじ(14)を挿通するための複数（図示は３つ）の貫通孔(65)がそれぞれ設けられるとともに、垂直壁(61)に、長ネジ(12)を挿通するための下向きに開口した溝（Ｕ溝）(67)が設けられているようにしてもよい。
【００３０】
図１０および図１１に示すものでは、長ネジ(12)を支持金具(13)に挿通するに際し、支持金具(13)の下側からの作業が可能となり、作業がやりやすいものとなる。
【符号の説明】
【００３１】
(1)               システムキッチン
(2)               キャビネット
(3)               カウンター
(3a)              後縁部
(6)               人造大理石層
(7)               表面側の木部層
(8)               裏面側の木部層
(11)              カウンターの反り矯正具
(12)              長ネジ
(13)              支持金具
(14)              木ねじ（カウンターへの取付け用ねじ）
(15)              内ナット
(16)              外ナット
(22)              工具差込口
(32)              左右側壁（垂直壁）
(34)              前後頂壁（水平壁）
(42)              左右側壁（垂直壁）
(43)              左右頂壁（水平壁）
(51)(61)          垂直壁
(52)(62)          水平壁
(35)(45)(55)(65)  木ねじ用貫通孔
(36)(46)(56)(66)  長ネジ用貫通孔
(57)(67)          長ネジ用Ｕ溝
【図１】
0003150360.tif 000003
【図２】
0003150360.tif 000004
【図３】
0003150360.tif 000005
【図４】
0003150360.tif 000006
【図５】
0003150360.tif 000007
【図６】
0003150360.tif 000008
【図７】
0003150360.tif 000009
【図８】
0003150360.tif 000010
【図９】
0003150360.tif 000011
【図１０】
0003150360.tif 000012
【図１１】
0003150360.tif 000013